(57)【要約】【課題】  電車などで移動しながら無線通信端末を確実かつ簡便に利用できるアクセスポイント予約システムおよび方法、並びに構成物品を提供する。【解決方法】  アクセスポイント予約システム１Ａは、インターネット２を介して無線通信端末７、Ｗｅｂサーバ３ａ、アクセスポイント所在地情報データベース３ｂ、無線資源予約サーバ６、アクセスポイント４ａ、４ｂ、４ｃをそれぞれ交信可能とする。無線通信端末７は第１Ｗｅｂサーバ３ａおよびアクセスポイント所在地情報データベース３ｂにアクセスし、路線情報または地図情報、およびアクセスポイント４ａ、４ｂ、４ｃの所在地情報を検索する。無線資源予約サーバ６は無線通信端末７のユーザ認証を行い、認証されればＷｅｂサーバ３ａの検索結果に基づいてアクセスポイント４ａ、４ｂ、４ｃを予約する。【選択図】図１
2006080740.tif 000002
【特許請求の範囲】
【請求項１】
ネットワークを介してそれぞれ交信可能な無線通信端末と無線資源予約サーバとネットワークサーバとを備え、
前記無線資源予約サーバは、前記ネットワークサーバが提供する路線情報または地図情報と前記無線通信端末の通信方式に適合するアクセスポイントの所在地情報とをもとに前記無線通信端末のアクセスポイントを予約する
ことを特徴とするアクセスポイント予約システム。
【請求項２】
無線通信端末と、アクセスポイントの予約を行う無線資源予約サーバと、少なくとも路線情報または地図情報を提供するＷｅｂサーバと、少なくとも前記アクセスポイントの地理的な位置を示す所在位置情報および前記アクセスポイントのネットワーク上の位置を示すネットワーク位置情報を有するアクセスポイント所在地情報データベースと、前記無線通信端末および前記無線資源予約サーバおよび前記Ｗｅｂサーバおよびアクセスポイント所在地情報データベースを交信可能とするネットワークとを備え、
前記無線資源予約サーバは、前記Ｗｅｂサーバにより提供された路線情報または地図情報の検索結果と前記アクセスポイント所在地情報データベースにより提供された前記無線通信端末の通信方式に適合するアクセスポイントの所在地情報の検索結果とをもとに前記アクセスポイントを予約する
ことを特徴とするアクセスポイント予約システム。
【請求項３】
請求項１または請求項２に記載のアクセスポイント予約システムであって、前記無線資源予約サーバはさらに利用予定時間の情報をもとに前記アクセスポイントを予約する
ことを特徴とするアクセスポイント予約システム。
【請求項４】
請求項１から請求項３までのいずれか1項に記載のアクセスポイント予約システムであって、
前記路線情報に複数の経路候補が含まれる場合には、前記無線資源予約サーバは前記無線通信端末が選択した経路に存在するアクセスポイントを予約する
ことを特徴とするアクセスポイント予約システム。
【請求項５】
請求項１から請求項４までのいずれか1項に記載のアクセスポイント予約システムであって、
前記無線資源予約サーバは前記アクセスポイントに予約申請を行うとともに、前記予約申請の結果を前記無線通信端末に送信することを特徴とするアクセスポイント予約システム。
【請求項６】
請求項５に記載のアクセスポイント予約システムに用いられる無線通信端末であって、
前記無線資源予約サーバから受信した前記予約申請の結果をディスプレイに表示することを特徴とする無線通信端末。
【請求項７】
無線通信端末と、アクセスポイントの予約を行う無線資源予約サーバと、少なくとも路線情報または地図情報を提供するＷｅｂサーバと、前記無線通信端末および前記無線資源予約サーバおよび前記Ｗｅｂサーバを交信可能とするネットワークとを備えた無線通信端末のアクセスポイント予約システムにおいて、
前記無線通信端末が前記Ｗｅｂサーバに対して路線情報または地図情報を検索するとともに予約を申請するステップと、
前記Ｗｅｂサーバが予約候補のアクセスポイントを特定するステップと、
前記Ｗｅｂサーバが前記無線資源予約サーバに対して前記無線通信端末のユーザ認証を行うステップと、
前記ユーザ認証の結果前記無線通信端末のユーザが契約者であることが確認できた場合、前記無線資源予約サーバが前記予約候補のアクセスポイントを予約するステップ
とを有することを特徴とするアクセスポイント予約方法。
【請求項８】
無線通信端末と、アクセスポイントの予約を行う無線資源予約サーバと、少なくとも路線情報または地図情報を提供するＷｅｂサーバと、少なくとも前記アクセスポイントの地理的な位置を示す所在位置情報および前記アクセスポイントのネットワーク上の位置を示すネットワーク位置情報を有するアクセスポイント所在地情報データベースと、前記無線通信端末および前記無線資源予約サーバおよび前記Ｗｅｂサーバを交信可能とするネットワークとを備えた無線通信端末のアクセスポイント予約システムにおいて、
前記無線通信端末が前記Ｗｅｂサーバに対して路線情報または地図情報の検索を指示するステップと、
前記Ｗｅｂサーバまたは前記無線資源予約サーバが検索結果を元に前記無線通信端末の利用可能な前記アクセスポイントを検索するステップと、
前記Ｗｅｂサーバが前記無線資源予約サーバに対して前記無線通信端末のユーザ認証を行うステップと、
前記ユーザ認証の結果前記無線通信端末のユーザが契約者であることが確認できた場合、前記Ｗｅｂサーバが前記無線通信端末に前記予約可能か否かの確認結果を送信するステップと、
前記無線通信端末が前記路線情報または前記地図情報の検索結果と前記無線通信端末の通信方式に適合する前記アクセスポイントの所在地情報とに基づいて選択した利用経路および前記アクセスポイントの予約の申請を前記Ｗｅｂサーバに送信するステップと、
前記Ｗｅｂサーバが前記利用経路および前記予約の申請を前記無線資源予約サーバに送信するステップと、
前記無線資源予約サーバが前記アクセスポイントを予約するステップ
とを有することを特徴とするアクセスポイント予約方法。
【請求項９】
請求項７または請求項８に記載のアクセスポイント予約方法であって、前記アクセスポイントを予約するステップにおいて、前記無線資源予約サーバは、さらに利用予定時間をもとに前記アクセスポイントを予約する
ことを特徴とするアクセスポイント予約方法。
【請求項１０】
請求項７から請求項９までのいすれか1項に記載のアクセスポイント予約方法であって、前記各ステップに加え、
前記Ｗｅｂサーバが前記無線資源予約サーバに予約可能か否かを確認したのちに前記無線資源予約サーバが使用することが想定される前記アクセスポイントのうち全てもしくは一部を仮予約するステップ
を有することを特徴とするアクセスポイント予約方法。
【請求項１１】
請求項７から請求項１０までのいずれか1項に記載のアクセスポイント予約方法であって、前記無線通信端末はディスプレイを備えるとともに、前記各ステップに加え、
前記無線資源予約サーバが前記アクセスポイントの予約を申請すると、前記無線資源予約サーバが前記予約の申請結果を前記Ｗｅｂサーバに送信するステップと、
前記Ｗｅｂサーバが前記予約の申請結果を前記無線通信端末に送信するステップと、
前記無線通信端末が前記予約の申請結果を前記ディスプレイに表示するステップと、
前記予約が成功した場合において前記無線通信端末が前記アクセスポイントにアクセスして接続するステップと
を有することを特徴とするアクセスポイント予約方法。
【請求項１２】
請求項７から請求項１１までのいずれか１項に記載のアクセスポイント予約方法であって、前記無線通信端末はディスプレイを備えるとともに、前記各ステップに加え、
前記無線資源予約サーバが前記アクセスポイントを予約したのちに、仮予約した前記アクセスポイントのうち利用しないものの仮予約を取り消し、前記アクセスポイントを予約したことを前記Ｗｅｂサーバに送信するステップと、
前記Ｗｅｂサーバが前記無線通信端末に前記アクセスポイントの予約ができた旨を送信するステップと、
前記無線通信端末の前記ディスプレイに前記アクセスポイントの予約が完了した旨を表示するステップと
を有することを特徴とするアクセスポイント予約方法。
【請求項１３】
無線通信端末と、アクセスポイントの予約を行う無線資源予約サーバと、前記アクセスポイントの地理的な位置を示す所在位置情報および前記アクセスポイントのネットワーク上の位置を示すネットワーク位置情報を有するアクセスポイント所在地情報データベースと、前記無線通信端末および前記無線資源予約サーバおよび前記アクセスポイント所在地情報データベースを交信可能とするネットワークとを備えたアクセスポイント予約システムに用いられるＷｅｂサーバであって、
前記無線資源予約サーバに予約可能か否かを確認する機能と、
路線情報または地図情報を検索するとともに前記路線情報または前記地図情報の検索結果と前記アクセスポイント所在地情報データベースにより提供されたアクセスポイントのネットワーク位置地情報とに基づき前記無線資源予約サーバにアクセスポイントの予約申請を行う機能と
を有することを特徴とするＷｅｂサーバ。
【請求項１４】
無線通信端末と、少なくとも路線情報または地図情報を提供するＷｅｂサーバと、前記アクセスポイントの地理的な位置を示す所在位置情報および前記アクセスポイントのネットワーク上の位置を示すネットワーク位置情報を有するアクセスポイント所在地情報データベースと、前記無線通信端末および前記Ｗｅｂサーバおよびアクセスポイント所在位置データベースとを交信可能とするネットワークとを備えたアクセスポイント予約システムおよび方法に用いられる無線資源予約サーバであって、
前記無線資源予約サーバから予約可能か否かを確認した結果を受信して前記Ｗｅｂサーバに送信する機能と、
前記アクセスポイントを予約する機能と
を有することを特徴とする無線資源予約サーバ。
【請求項１５】
請求項１４に記載の無線資源予約サーバであって、
前記アクセスポイントの仮予約を行う機能を有することを特徴とする無線資源予約サーバ。
【請求項１６】
無線通信端末と、アクセスポイントの予約を行う無線資源予約サーバと、少なくとも路線情報または地図情報を提供するＷｅｂサーバと、前記アクセスポイントの地理的な位置を示す所在位置情報および前記アクセスポイントのネットワーク上の位置を示すネットワーク位置情報を有するアクセスポイント所在地情報データベースと、前記無線通信端末および前記無線資源予約サーバおよび前記Ｗｅｂサーバおよび前記アクセスポイント所在地情報データベースを交信可能とするネットワークとを備えたアクセスポイント予約システムに用いられるアクセスポイントであって、
前記無線資源予約サーバから送信された予約申請を受け付ける機能を有することを特徴とするアクセスポイント。
【請求項１７】
請求項１６に記載のアクセスポイントであって、
前記無線資源予約サーバから送信された仮予約申請を受け付ける機能を有することを特徴とするアクセスポイント。
【請求項１８】
請求項１７に記載のアクセスポイントであって、
前記仮予約申請に基づく仮予約は一定時間が経過すると自動的に取り消されることを特徴とするアクセスポイント。
【請求項１９】
アクセスポイントの予約を行う無線資源予約サーバと、少なくとも路線情報または地図情報を提供するＷｅｂサーバと、前記アクセスポイントの地理的な位置を示す所在位置情報および前記アクセスポイントのネットワーク上の位置を示すネットワーク位置情報を有するアクセスポイント所在地情報データベースと、前記無線資源予約サーバおよび前記Ｗｅｂサーバおよび前記アクセスポイント所在地情報データベースを交信可能とするネットワークとを備えたアクセスポイント予約システムに用いられる無線通信端末であって、
前記Ｗｅｂサーバから受信した予約申請結果通知表示するディスプレイを備えたことを特徴とする無線通信端末。
【請求項２０】
ネットワークを介してそれぞれ交信可能な無線通信端末と無線資源予約サーバとネットワークサーバとを備え、前記無線資源予約サーバは、前記ネットワークサーバが提供する路線情報または地図情報とアクセスポイントの所在地情報およびネットワーク的位置情報とをもとに前記無線通信端末のアクセスポイントを予約する
ことを特徴とするアクセスポイント予約システム。
【発明の詳細な説明】
【技術分野】
【０００１】
本発明は無線通信端末に無線通信環境を提供する無線サービスシステムに属する。
【背景技術】
【０００２】
近年、PDA（Personal Digital Assistant）などの携帯情報端末や携帯用パーソナルコンピュータが普及し、ユーザが自宅以外で無線ネットワーク環境にて端末を利用する機会が増加している。この無線ネットワーク環境にて利用する端末（以下「無線通信端末」と称する）のユーザは、この無線通信端末を携帯してアクセスポイントが設置された所定の場所の周辺に移動し、移動先にて自己が所有する無線通信端末を前記アクセスポイントと無線通信により交信させ、かかる無線ネットワーク環境を介してインターネットなどのネットワークに接続する。ここで、前記アクセスポイントは飲食店や駅構内など人が多く集まる場所の周辺に設置された公衆無線サービスであり、代表例として、たとえばHOTSPOTによるインターネット接続サービスなどがある（たとえば、非特許文献１参照。）。そして、このアクセスポイントと無線通信端末との通信方式としては、IEEE1394.802.11aや802.11gにおけるOFDM（直交周波数分割多重）方式やIEEE1394.802.11bにおけるDS-MM（直接拡散スペクトル拡散）方式、また、HiSWAN等の様なギャランティー型と呼ばれる帯域保証型の無線も考案されている（たとえば、非特許文献２参照）。
【０００３】
【非特許文献１】東京ホットスポット情報館［2004年9月7日検索］＜URL: http://www.joho.st/hotspot/＞
【非特許文献２】図書コード:ARIB STD-T70「広帯域移動アクセスシステム(HiＳWANa)標準規格」2.0版  （社団法人電波産業会（ARIB）頒布図書）
【発明の開示】
【発明が解決しようとする課題】
【０００４】
しかしながら、802.11ｂに代表される無線LANは一基地局内において利用可能な無線通信端末の数は限られており、混雑によっては利用できない事がある。また、HOTSPOTサービスにおいて、そのサービス提供場所に行ってはじめて使えるか等が判明する。また、ギャランティー型など帯域保障型の無線は無線レイヤーでの帯域を保証し、同周波数帯の802.11aに比べより多数のユーザが同一基地局に接続する事が可能となっているものの、帯域予約の具体的な方法までは決められておらず、実際の利用には困難が伴う可能性が高い。このため、鉄道などで移動しながら無線通信端末を使用するのは非常に困難であるのが実情である。
【０００５】
一方、ユーザは外出する際、ポータルサイト内や専門サービスサイトの路線情報または地図情報の検索結果を用いて最速・最安・最楽な路線または地図の検索を行うことが当然となっているが、大半はユーザの単なる行き先検索のみに使用されているのが実情であり、一層の有効活用が求められる。
【０００６】
本発明はこのような目的に鑑みなされたものであり、路線情報や地図情報などの有効活用を図り、鉄道などで移動しながら無線通信端末を確実かつ簡便に利用することを可能とするアクセスポイント予約システムおよび方法、並びにそれらのシステムおよび方法に用いるＷｅｂサーバ、無線資源予約サーバ、アクセスポイント、無線通信端末を提供するものである。
【課題を解決するための手段】
【０００７】
本発明の上記課題は、ネットワークを介してそれぞれ交信可能な無線通信端末と無線資源予約サーバとネットワークサーバとを備え、前記無線資源予約サーバは、前記ネットワークサーバが提供する路線情報または地図情報と前記無線通信端末の通信方式に適合するアクセスポイントの所在地情報とをもとに前記無線通信端末のアクセスポイントを予約するアクセスポイント予約システムによって達成される。
【０００８】
そして、路線情報または地図情報とアクセスポイントの所在地情報および通信方式情報とを提供するネットワークサーバと、これらの情報をもとにアクセスポイントの予約を行う無線資源予約サーバと、無線通信端末とがネットワークを介して相互に交信可能であるため、無線通信端末が移動中であってもネットワークを介してアクセスポイントの予約が行える。
【０００９】
また、本発明の上記課題は、無線通信端末と、アクセスポイントの予約を行う無線資源予約サーバと、少なくとも路線情報または地図情報を提供するＷｅｂサーバと、少なくとも前記アクセスポイントの地理的な位置を示す所在位置情報および前記アクセスポイントのネットワーク上の位置を示すネットワーク位置情報を有するアクセスポイント所在地情報データベースと、前記無線通信端末および前記無線資源予約サーバおよび前記Ｗｅｂサーバおよびアクセスポイント所在地情報データベースを交信可能とするネットワークとを備え、前記無線資源予約サーバは、前記Ｗｅｂサーバにより提供された路線情報または地図情報の検索結果と前記アクセスポイント所在地情報データベースにより提供された前記無線通信端末の通信方式に適合するアクセスポイントの所在地情報の検索結果とをもとに前記アクセスポイントを予約するアクセスポイント予約システムによって達成される。
【００１０】
そして、ネットワークを介して相互に交信可能なＷｅｂサーバ、アクセスポイント所在地情報データベース、無線資源予約サーバ、無線通信端末において、Ｗｅｂサーバが提供する路線情報または地図情報と、アクセスポイント所在地情報データベースが提供する無線通信端末の通信方式に適合するアクセスポイントの所在地情報との検索結果に基づいて無線資源予約サーバがアクセスポイントの予約を行うことにより、無線通信端末が移動中であってもネットワークを介して鉄道等の路線上に存在するアクセスポイントを、予約の結果に基づいて優先的に利用することが可能となる。また、Ｗｅｂサーバが提供する、従来は主に乗換え案内用ソフトウェアとして用いられていた路線情報はまたは地図情報をアクセスポイントの所在地情報および通信方式情報と併用することにより、ソフトウェア資源の有効活用を図ることができる。
【００１１】
また、本発明の上記課題は、無線通信端末と、アクセスポイントの予約を行う無線資源予約サーバと、少なくとも路線情報または地図情報を提供するＷｅｂサーバと、少なくとも前記アクセスポイントの地理的な位置を示す所在位置情報および前記アクセスポイントのネットワーク上の位置を示すネットワーク位置情報を有するアクセスポイント所在地情報データベースと、前記無線通信端末および前記無線資源予約サーバおよび前記Ｗｅｂサーバを交信可能とするネットワークとを備えた無線通信端末のアクセスポイント予約システムにおいて、前記無線通信端末が前記Ｗｅｂサーバに対して路線情報または地図情報の検索を指示するステップと、前記Ｗｅｂサーバまたは前記無線資源予約サーバが検索結果を元に前記無線通信端末の利用可能な前記アクセスポイントを検索するステップと、前記Ｗｅｂサーバが前記無線資源予約サーバに対して前記無線通信端末のユーザ認証を行うステップと、前記ユーザ認証の結果前記無線通信端末のユーザが契約者であることが確認できた場合、前記Ｗｅｂサーバが前記無線通信端末に前記予約可能か否かの確認結果を送信するステップと、前記無線通信端末が前記路線情報または前記地図情報の検索結果と前記無線通信端末の通信方式に適合する前記アクセスポイントの所在地情報とに基づいて選択した利用経路および前記アクセスポイントの予約の申請を前記Ｗｅｂサーバに送信するステップと、前記Ｗｅｂサーバが前記利用経路および前記予約の申請を前記無線資源予約サーバに送信するステップと、前記無線資源予約サーバが前記アクセスポイントを予約するステップとを有するアクセスポイント予約方法によって達成される。
【００１２】
そして、ネットワークを介して相互に交信可能なＷｅｂサーバ、アクセスポイント所在地情報データベース、無線資源予約サーバ、無線通信端末において、Ｗｅｂサーバが提供する路線情報または地図情報と、アクセスポイント所在地情報データベースに基づいて無線資源予約サーバがアクセスポイントの予約を行うことにより、無線通信端末が移動中であってもネットワークを介して鉄道等の路線上に存在するアクセスポイントを利用することが可能となる。また、Ｗｅｂサーバが提供する、従来は主に乗換え案内用ソフトウェアとして用いられていた路線情報はまたは地図情報をアクセスポイントの所在地情報および通信方式情報と併用することにより、ソフトウェア資源の有効活用を図ることができる。
【００１３】
なお、本発明においてネットワーク位置情報とは、IPアドレスなど、サーバやルータなどのネットワークインターフェースごとに割り当てられる、ネットワーク上での位置関係を特定するための各種情報を示すものとし、IPアドレスを構成するネットワークアドレスもホストアドレスもそれぞれこのネットワーク位置情報を構成するものとする。
【発明の効果】
【００１４】
本発明においては、乗換え案内ソフトの有する路線情報または地図情報とアクセスポイントにおける帯域・リソース予約とを同期させることにより、ユーザは普段用いる乗換え案内を利用して煩雑な手間を要することなく出先でのアクセスポイントを確保する事が出来る。また、ギャランティー可能なネットワークインタフェースに関しては帯域も予約できる。その結果ストリーミング動画の受信等がスムーズに行う事が可能となる。
【発明を実施するための最良の形態】
【００１５】
以下、本発明を実施するための形態を図面を参照して説明する。
【００１６】
（第１の形態）図１に、第１の形態におけるアクセスポイント予約システムのネットワーク図を示す。なお、通常、アクセスポイントはインターネットなどのネットワーク上に複数接続されているが、この第1の形態を実施するためには最低1個のアクセスポイントを備えている必要があるので、説明を簡素化するため、以下、この第１の形態を構成するアクセスポイントは第１アクセスポイント４ａであるものとして以下説明する。
【００１７】
この第１の形態におけるアクセスポイント予約システム１Ａはネットワークとしてインターネット２を備えている。ただし、このネットワークはインターネット２に限定されず、各種無線通信端末と各種サーバとを交信可能とする通信媒体であればよいものとする。
【００１８】
そして、インターネット２にはＷｅｂサーバ３ａとアクセスポイントとしての第１アクセスポイント４ａと基地局５とが接続され、さらに、Ｗｅｂサーバ３ａには無線資源予約サーバ６とアクセスポイント所在地情報データベース３ｂとが接続されている。
【００１９】
Ｗｅｂサーバ３ａはサーバ機能とデータ収集機能およびデータ蓄積機能を併せ持つコンピュータ端末であり、鉄道の路線図や時刻表などの路線情報および駅や各種建造物に関する地理情報としての地図情報を収集しデータベースとして蓄積している。そして、Ｗｅｂサーバ３ａはインターネット２に接続されて、インターネット２を介して他の端末やサーバと交信でき、さらに直接接続された端末とも交信できて、交信相手の端末に対し、収集され蓄積された路線情報や地図情報などを提供できる。なお、本実施の形態においては、各種建造物に関する地理情報の一部としてアクセスポイント所在地情報も所有しているものとする。
【００２０】
アクセスポイント所在地情報データベース３ｂは、Ｗｅｂサーバ３ａに接続されており、第1アクセスポイント４ａをはじめインターネット２上に存在するアクセスポイントの地理的な位置を示す所在位置情報や、第1アクセスポイント４ａなどのアクセスポイントのインターネット２上の位置を示すネットワーク位置情報を有している。
【００２１】
ここで、Ｗｅｂサーバ３ａとアクセスポイント所在地情報データベース３ｂとは相互に交信可能な状態であればよい。本実施の形態では、Ｗｅｂサーバ３ａとアクセスポイント所在地情報データベース３ｂとは同一のＬＡＮ内で接続された構成としているが、かかる態様に限定されず、たとえばＷｅｂサーバ３ａとアクセスポイント所在地情報データベース３ｂとがインターネット２等のＷＡＮを介して接続されていてもよいし、アクセスポイント所在地情報データベース３ｂがＷｅｂサーバ３ａに内蔵されていてもよいし、さらに、Ｗｅｂサーバ３ａ内において、アクセスポイント所在地情報が路線情報または地図情報に含まれる建物/公園/レストラン情報などの周辺情報に含まれていてもよい。すなわち、アクセスポイントの予約を実施する過程において、路線情報または地図情報の検索結果と前記無線通信端末の有する無線種別から予約するアクセスポイントを特定できる態様であれば、両者のネットワーク構成やデータ構成はどのようなものであってもよい。
【００２２】
そして、Ｗｅｂサーバ３ａには無線資源予約サーバ６が接続されている。この無線資源予約サーバ６は第１アクセスポイント４ａを運営するネットワークプロバイダが所持管理する。そして、無線資源予約サーバ６はＷｅｂサーバ３ａと同様にサーバ機能を有し、さらに、ユーザが無線通信端末７として使用するデバイスに関するデバイス情報やユーザ名パスワード等といったアクセスポイントの予約に必要な情報（個人特定情報等）が記録されており、また、Ｗｅｂサーバ３ａに収集され蓄積された路線情報または地図情報の検索結果をもとに第１アクセスポイント４ａを予約する機能を有している。この第１アクセスポイント４ａを予約する機能については後で説明する。
【００２３】
そして、インターネット２には第１アクセスポイント４ａが接続されている。この第１アクセスポイント４ａは、無線ＬＡＮやBluetoothなど、無線でのインターネット接続サービスを不特定多数の利用者に提供するための機器であって、具体的には、たとえばHOTSPOTなど、ネットワークプロバイダによって運営・提供されるものが考えられる。そして、この第１アクセスポイント４ａは飲食店や駅構内など人が多く集まる場所の周辺に設置され、周辺の半径数メートル〜数十メートルの比較的狭いエリアに存在するコンピュータ端末７ａや携帯情報端末７ｂと無線通信を行って無線ＬＡＮ環境やBluetooth環境など各種の無線通信環境を提供する。この無線ＬＡＮの方式は、802.11bやHiSWANなど、一般に用いられている無線ＬＡＮの方式であればどのようなものでもよい。
【００２４】
また、第１アクセスポイント４ａや基地局５は、無線通信端末７と無線通信により交信する（この無線通信端末７の詳細については後述する。）。この無線通信端末７は、第１アクセスポイント４ａや基地局５を介してインターネット２に接続し、Ｗｅｂサーバ３ａおよびＷｅｂサーバ３ａに接続された無線資源予約サーバ６と相互に交信可能である。
【００２５】
無線通信端末７はＰＤＡ(Personal Digital Assistant）などの携帯情報端末や携帯用パーソナルコンピュータなどに代表される、小型かつ携帯可能であって、各種文字情報や画像情報を表示するディスプレイ８を備えた、各種の無線端末である。具体的には、たとえば無線ＬＡＮネットワークインタフェースとして使用可能なコンピュータ端末７ａや携帯情報端末７ｂ、そして、携帯電話やＰＨＳなど移動体通信端末７ｃが考えられる。そして、無線通信端末７がコンピュータ端末７ａや携帯情報端末７ｂである場合には第１アクセスポイント４ａと交信し、無線通信端末７が移動体通信端末７ｃである場合には基地局５と交信する。
【００２６】
そして、図２はこのアクセスポイント予約システム１において第１アクセスポイント４ａの予約手続きの手順を表したシーケンス図である。以下このシーケンス図の処理の流れに基づいて第1の形態におけるアクセスポイント予約の手順を説明する。
【００２７】
まず、アクセスポイント予約システム１Ａを利用するにあたり、コンピュータ端末７ａや携帯情報端末７ｂなどのユーザ（以下単に「ユーザ」と称する）が、ＨＯＴＳＰＯＴ利用契約など第１アクセスポイント４ａを利用するための契約をネットワークプロバイダと締結していることが前提となる。ここで、ユーザの所持する無線通信端末７は基本的にどのような無線通信用デバイスであってもよいが、図３に示すようにディスプレイ８を備え文字情報や画像情報を表示できることが望ましく、第1の形態においては無線通信端末７はこのディスプレイ８を備えたものを用いる。また、利用契約の締結に際し、ユーザはネットワークプロバイダに対して自己の無線通信端末７に関するデバイス情報をネットワークプロバイダに開示し、ユーザ名やパスワードなどアクセスポイントの予約に必要な情報（個人特定情報等）を申請し取得する。ネットワークプロバイダは、これらの情報を登録し自己の無線資源予約サーバ６に記録する。
【００２８】
そして、ユーザがアクセスポイント予約システム１Ａを実際に利用する際には、まず、ユーザは鉄道を利用して目的地に移動する際に無線通信端末７に使いたい路線や行きたい場所を入力し、検索を実行する旨入力する。この際アクセスポイントの予約を行いたい旨および自己の通信方式を同時に通知すると、無線通信端末７は、まずＷｅｂサーバ３ａにアクセスし、このＷｅｂサーバ３ａに路線情報または地図情報の検索を指示する。Ｗｅｂサーバ３ａはこの指示に基づき、自ら蓄積した、またはインターネット２上から収集した、路線情報または地図探索結果情報を検索する（ステップＳ１）。次に、Ｗｅｂサーバ３ａはステップＳ１における経路検索結果に応じた地理情報から第１アクセスポイント４ａを予約候補として特定する（ステップＳ２）。Ｗｅｂサーバ３ａはステップＳ２終了後に無線資源予約サーバ６にアクセスし、無線資源予約サーバ６はどの無線通信端末７がアクセスしているかをパスワード認証、クッキー、IPアドレス等から確認するユーザ認証（以下単に「ユーザ認証」と証する）を行い、アクセス元の無線通信端末７のユーザが予約可能か否かを確認する（ステップＳ3）。そして、ユーザ認証の結果、無線通信端末７のユーザが第１アクセスポイント４ａの利用契約を締結していることを無線資源予約サーバ６が確認した場合（ステップＳ4）、Ｗｅｂサーバ３ａは検索結果から得られる利用予定のアクセスポイントの情報（アクセスポイント4ａのIPアドレスおよび利用予定時間）と予約申請を無線資源予約サーバ６に送信する（ステップＳ5）。そして、無線資源予約サーバ６はアクセスポイント４ａを時間を指定して予約候補として特定されたアクセスポイントの予約を行い（ステップＳ6）、アクセスポイント４ａは申請のあった条件で電車の移動時間に合わせて予約が可能であれば予約を行うとともに、予約の申請結果としての予約可否情報を無線資源予約サーバ６に送信し（ステップＳ7）、無線資源予約サーバ６は受信した予約可否情報をＷｅｂサーバ３ａに送信し（ステップＳ8）、Ｗｅｂサーバ３ａは受信した予約可否情報を無線通信端末７に送信する（ステップＳ9）。無線通信端末６は受信した予約可否情報を、図４に示すようにユーザに視認可能な状態でディスプレイ８に表示する（ステップＳ１０）。そして、予約が完了し、ユーザが乗車する電車が第１アクセスポイント４ａの交信可能領域に到達すると、無線通信端末７は第１アクセスポイント４ａにアクセスして接続し、ユーザは無線通信端末７をネットワーク環境で利用することができる。そしてユーザの更なる移動に伴い無線通信端末７が次のアクセスポイント（図示せず）に移動した場合には、無線通信端末７は現在接続中の第１アクセスポイント４ａに対し、接続終了する旨を送信する。
【００２９】
このように、Ｗｅｂサーバ３ａが提供する路線情報または地図情報をアクセスポイントの所在地情報および通信方式情報と併用することにより、従来は主に乗換え案内用ソフトウェアとして用いられていた路線情報または地図情報を利用して鉄道等の路線上に存在するアクセスポイントを予約することが可能となって、煩雑な手間を要することなく、出先でアクセスポイントを確保する事が可能となる。
【００３０】
（第２の形態）図１に、第２の形態におけるアクセスポイント予約システムのネットワーク図を示す。この第２の形態におけるアクセスポイント予約システム１Ｂは、第1の形態におけるアクセスポイント予約システム１Ａと同じ構成を備え、最低1個のアクセスポイント４が必要であるため、この第２の形態においても、説明を簡素化するためアクセスポイント４は第１アクセスポイント４ａであるものとする。
【００３１】
そして、図３に示すのはこの第２の形態のシーケンス図である。以下、このシーケンス図の処理の流れに基づいて第２の形態におけるアクセスポイントの予約と利用の手順を説明する。
【００３２】
この第２の形態においても、アクセスポイント予約システム１Ｂの利用の前提として、ユーザは無線通信端末７を所持し、かつ第１アクセスポイント４ａを利用するための契約をネットワークプロバイダと締結しアクセスポイントの予約に必要な情報をネットワークプロバイダに登録しておくことが必要となる。
【００３３】
そして、アクセスポイント予約システム１Ｂの利用にあたっては、無線通信端末７は、Ｗｅｂサーバ３ａにアクセスし、このＷｅｂサーバ３ａに路線情報または地図情報の検索を指示する。Ｗｅｂサーバ３ａはこの指示に基づき、自ら蓄積した、またはインターネット２上から収集した、路線情報または地図探索結果情報を検索する（ステップＳ２１）。Ｗｅｂサーバ３ａは検索結果に基づきアクセスポイントをアクセスポイント所在地情報データベース３ｂから検索する（ステップＳ２２）。アクセスポイント所在地情報データベース３ｂはＷｅｂサーバ３ａに第１アクセスポイント4ａの位置を通知する（ステップＳ２３）。Ｗｅｂサーバ３ａは検索結果を無線通信端末７に送信する（ステップＳ２４）。そして、Ｗｅｂサーバ３ａは無線資源予約サーバ６にアクセスして無線資源予約サーバ６がユーザ認証を行い（ステップＳ２５）、このユーザ認証の結果、無線通信端末７のユーザが第１アクセスポイント４ａの利用契約を締結していることが確認できた場合、無線資源予約サーバ６はＷｅｂサーバ３ａに対し、ユーザが契約者であることが確認できた旨の情報を送信する（ステップＳ２６）。第１アクセスポイント４ａが予約候補である旨の情報を送信し（ステップＳ２６）、その旨の情報を受信したＷｅｂサーバ３ａは無線通信端末７に予約の意思を確認する情報を送信する（ステップＳ２７）。そして、無線通信端末７のディスプレイ８には、図４に示すように、ユーザが経路を選択するための選択用画面が表示され（ステップＳ２８）、ユーザはディスプレイ８の路線情報または地図情報の検索結果に基づく複数の結果（図４に示す）をクリックし選択することが可能となる。この結果、ユーザは時間も指定して検索しているので、利用する予定の電車を特定することができ、ユーザが利用する電車の路線や運行予定に即した無線通信端末の予約を確実に行うことが可能となる。このとき、利用する電車を確実にするために、ユーザが帯域予約サービスを希望した場合には、ユーザはクリック可能な路線情報または地図情報の検索結果を用いて利用予定をクリックする。そして、ユーザは電車の移動状況に合わせて無線資源の予約案を決定すると無線通信端末７を予約案どおりにクリックし、無線通信端末７がＷｅｂサーバ３ａに無線資源の予約を申請する旨を送信する（ステップＳ２９）。Ｗｅｂサーバ３ａは申請を受信すると無線通信端末７に時間の確認を行い（ステップＳ３０）、無線通信端末７はステップＳ２９にて送信した申請内容でよいか否かを確認してＷｅｂサーバ３ａに送信する（ステップＳ３１）。Ｗｅｂサーバ３ａは無線通信端末７から受信した確認結果を受けて無線資源予約サーバ６に無線資源の予約を申請する旨を送信し（ステップＳ３２）、無線資源予約サーバ６は第1アクセスポイント４ａにアクセスして予約の申請を送信する。このとき無線資源予約サーバ６は、電車の移動時間を加味したアクセス予定時間に関する情報も含めて送信する（ステップＳ３３）。そして、第1アクセスポイント４ａは申請のあった条件で電車の移動時間に合わせて予約が可能であれば予約を行うとともに、予約の申請結果としての予約可否情報を無線資源予約サーバ６に送信し（ステップＳ３４）、無線資源予約サーバ６は受信した予約可否情報をＷｅｂサーバ３ａに送信し（ステップＳ３５）、Ｗｅｂサーバ３ａは受信した予約可否情報を無線通信端末７に送信する（ステップＳ３６）。無線通信端末６は受信した予約可否情報を、たとえば図５に示すように、無線通信端末に地点A〜地点BまではOKだが地点B〜地点CはNG、などのようにディスプレイ８に表示する（ステップＳ３７）。そして、予約が完了し、ユーザが第1アクセスポイント４ａの交信可能領域に到達すると、無線通信端末７は第1アクセスポイント４ａにアクセスして接続し（ステップＳ３８）、ユーザは無線通信端末７をネットワーク環境で利用することができる。
【００３４】
このように、無線通信端末７のディスプレイ８にユーザが経路を選択するための選択用画面を表示することで、ユーザは前述の路線情報または地図情報の検索結果に基づく複数の結果を選択することが可能となるため、ユーザの意向をより反映した形でアクセスポイントを予約することが可能となる。また、利用者は時間も指定して検索しているので、利用する予定の電車を特定してアクセスポイントの予約を行うことが可能となる。
【００３５】
なお、この第２の形態においてはＷｅｂサーバ３ａや無線資源予約サーバ６は無線通信端末７にユーザの意志確認を詳細に送信させているが、確認これらの確認のうち一部または全部を行わずに全自動で予約を行っても良いし、ステップＳ２７やステップＳ３６などにおける結果の表示の一部または全部を省略してもよい。また、HiSWANの様にL2に無線資源予約がある場合はL2で無線資源の予約を行っても良いし、802.11aのようなベストエフォートの場合には接続可能な無線通信端末７の台数の制限（MACアドレス認証などで）を行った結果による無線資源の予約であってもよい。
【００３６】
（第３の形態）第３の形態におけるアクセスポイント予約システムの全体構成は、図１に示すネットワーク図におけるアクセスポイント予約システム１Ｃに示される。この第３の形態を実施するためには最低２個のアクセスポイントが設けられていることが必要であるため、説明を簡素化するため、無線通信端末７と第１アクセスポイント４ａおよび第２アクセスポイント４ｂとの接続について、図３のシーケンス図に基づいて説明する。
【００３７】
本実施形態においては、ステップＳ２１ないしステップＳ２３において第２アクセスポイント４ｂは第１アクセスポイント４ａと同様に最適なアクセスポイントとして検出されたものとする。そして、無線通信端末７はステップＳ２１からステップＳ３２の処理を行って第１アクセスポイント４ａを予約し（ステップＳ３３）、さらに、これらのステップＳ２１からステップＳ３２の処理に基づいて第２アクセスポイントについても予約する（ステップＳ３９）。そして、ユーザが第２アクセスポイント４ｂの交信可能領域に到達すると、無線通信端末７は第２アクセスポイント４ｂにアクセスして接続する（ステップＳ４０）とともに、たとえ予約時間が残っていても第１アクセスポイント４ａの無線資源を開放する（ステップＳ４１）。
【００３８】
このように、利用しなくなったアクセスポイントの無線資源を解放することにより、実際には利用されない無線資源が確保されたままになる事態を防止して、無線資源をより有効に利用することが可能になる。
【００３９】
なお、この第３の形態ではそれぞれアクセス系である第1アクセスポイント４ａから第２アクセスポイント４ｂに移動する場合について説明したが、これに限定されず、別途手段、たとえばRF−IDの様な近接無線通信手段等を用いて位置を把握できれば、過去にアクセスした不要なアクセスポイントの予約を開放することができる。この場合、アクセスポイントの予約は基本的に自動的に開放するが、ユーザの意志を確認したのちに開放するものとしてもよい。
【００４０】
（第４の形態）図１に、第４の形態におけるアクセスポイント予約システム１Ｄのネットワーク図を示す。このアクセスポイント予約システム１Ｄは、アクセスポイント４が複数存在する点を含め基本的な構成は図２に示す第３の形態と同一であるが、これらのアクセスポイントが複数の通信方式を有する点で相違する。
【００４１】
また、この第４の形態に用いる無線通信端末７は、図５に示すように２種類以上のネットワークインタフェース（この場合はHiSWANとW-CDMA）を有している。なお、ここでは説明を簡素化するため、この無線通信端末７はHiSWANが到達可能な範囲ではHiSWAN上をハンドオーバーしながら利用し、HiSWANが使用不可能な場合にはW-CDMAを利用するものとする。
【００４２】
そして、図９に示すのはこの第４の形態におけるアクセスポイント予約システム１Ｄのシーケンス図である。以下、このシーケンス図の処理の流れに添って第４の形態におけるアクセスポイント予約と利用の手順を説明する。なお、図９に示す第４の形態は、説明を簡素化するため、無線通信端末７と第１アクセスポイント４ａ、第２アクセスポイント４ｂ、第３アクセスポイント４ｃとの接続について説明し、また図９においては仮予約にしか使わないアクセスポイントの記載を省略している。
【００４３】
まず、アクセスポイント予約システム１Dを利用するにあたっては、第１ないし第３の形態と同様に、ユーザは第１アクセスポイント４ａないし第３アクセスポイント４ｃを利用するための契約をネットワークプロバイダと締結していることが前提となる。そして、第１ないし第３の形態と同様に、第１アクセスポイント４ａないし第３アクセスポイント４ｃの予約に必要な情報はネットワークプロバイダの所有する無線資源予約サーバ６に記録される。
【００４４】
ここで、ユーザは電車によりA駅からD駅に移動しようと考えており、また、その移動中にネットワークストリーミングによる動画配信を受けたいと考えているものと仮定する。そして、A駅からD駅に至るには図６の様なルートが想定されるものとする。
【００４５】
そして、ユーザがＡ駅からＤ駅に移動する際にアクセスポイント予約システム１Dを利用する場合、まず、ユーザはD駅までの移動を電車で行う旨を無線通信端末７に入力すると、無線通信端末７は、まずＷｅｂサーバ３ａにアクセスし、このＷｅｂサーバ３ａに路線情報または地図情報の検索を指示する。Ｗｅｂサーバ３ａはこの指示に基づき、自ら蓄積した、またはインターネット２上から収集した、路線情報または地図探索結果情報を検索する（ステップＳ５１）。なお、この際に同時に自己の通信方式情報を提供するとともにこの自己の通信方式に適合するアクセスポイントの所在地情報に関する検索を指示する。この指示に基づきＷｅｂサーバ３ａは、自ら蓄積した、またはアクセスポイント所在地情報データベース３ｂ、またはインターネット２上から収集したアクセスポイントの所在地情報および通信方式情報の検索の検索を行い、無線通信端末７の通信方式に適合するアクセスポイントを検出する（ステップＳ５２）。Ｗｅｂサーバ３ａは路線情報または地図探索結果情報と所在地情報とが一致した場合に、一致したアクセスポイントを最適なアクセスポイントとして検出する。本実施形態においては第1アクセスポイント４ａ、第２アクセスポイント４ｂ、第３アクセスポイント４ｃが最適なアクセスポイントとして検出されたものとする。そして、Ｗｅｂサーバ３ａは検索結果を無線通信端末７に送信する。次に、Ｗｅｂサーバ３ａは無線資源予約サーバ６にアクセスし、ユーザ認証を行ってＨＯＴＳＰＯＴに契約したユーザか否かを確認するとともに第１アクセスポイント４ａ、第２アクセスポイント４ｂ、第３アクセスポイント４ｃの空き状況を確認する（ステップＳ５４）。ここで、無線資源予約サーバ６はユーザ認証に必要な情報を自ら保有していてもインターネットを介して取得してもよく、この第４の形態においては自ら保有している。そして、無線通信端末７のユーザがＨＯＴＳＰＯＴに契約しており、第１アクセスポイント４ａ、第２アクセスポイント４ｂ、第３アクセスポイント４ｃに空きがあることが確認された場合には、無線資源予約サーバ６はその旨を返答としてＷｅｂサーバ３ａに送信し（ステップＳ５５）、Ｗｅｂサーバ３ａは返答を受信し無線資源予約サーバ３に送信する（ステップＳ５６）。さらに、無線資源予約サーバ６は返答と併せて空きのあったアクセスポイント４ａ、第２アクセスポイント４ｂ、第３アクセスポイント４ｃをそれぞれ仮予約する（ステップＳ５７、ステップＳ５８、ステップＳ５９）。この仮予約はユーザが予約の申請を行うまでに時間がかかり申請までの間に他人にアクセスポイントを予約されてしまう恐れがあるため、かかる弊害を防止するために行われる一時的な予約である。また、この仮予約は想定される全て、もしくは選択される可能性の高い路線情報中または地図情報中に存在する全てのアクセスポイントに関して行われる事が望ましい。
【００４６】
そして、無線通信端末７のディスプレイ８には、図８に示すように、ユーザが経路を選択するための選択用画面が表示される（ステップＳ６０）。この際ディスプレイ８には値段、時間、乗換え回数だけではなく、アクセスポイント４の予約が可能かどうか等の情報も表示する。この図８において表示された場合においては、1の経路ではA駅→B駅→C駅→D駅の経路で、700円、60分、A駅→B駅の区間及びC駅→D駅の区間ではHiSWANによる384kbpsの無線資源予約が取れるという結果で、2の経路ではA駅→B駅→E駅→D駅の経路で720円、63分、A駅→B駅の区間及びE駅→D駅の区間ではHiSWANによる384kbpsの無線資源予約が取れ、B駅→E駅の区間ではW-CDMAによる64kbpsの保障が取れる。ここで、図９に示すとおり、B駅１０ａ→E駅１０ｂの区間における通信方式と通信可能領域は、一部区間（小さな円の内部）１１ａ、１１ｂではHiSWANが使用可能で、それ以外の領域１２ａ、１２ｂではW-CDMAによってカバーされている様子を示しているものとすると、無線通信端末７のディスプレイ８には時間、料金、予約の有無等が表示されるようになっている。そしてユーザは無線通信端末７のディスプレイ８に表示された結果から利用する路線または地図を選択する。
【００４７】
なお、本来は図９に示すように、無線通信端末７は路線上の複数のアクセスポイントをハンドオーバーしながら移動するのが通常であるが、第４の形態においては説明を簡素化するため、無線通信端末７は移動に伴い第１アクセスポイント４ａ（HiSWAN）→第３アクセスポイント４ｃ（W-CDMA）→第２アクセスポイント４ｂ（HiSWAN）にアクセスするものと仮定して以下説明する。
【００４８】
無線通信端末７はユーザによって選択された経路により予約を申請する旨をＷｅｂサーバ３ａに送信し（ステップＳ６１）、Ｗｅｂサーバ３ａはこの予約の申請を受信して無線資源予約サーバ６に送信する（ステップＳ６２）。ここではユーザは図8上の"2"を選択したものとする。無線資源予約サーバ６は仮予約がされている第１アクセスポイント４ａ、第２アクセスポイント４ｂ、第３アクセスポイント４ｃにそれぞれ予約を申請する。ここではA駅→B駅→E駅→D駅の経路が申請されたものとし（ステップＳ６３、ステップＳ６４、ステップＳ６５）、アクセスポイント４ａ、第２アクセスポイント４ｂ、第３アクセスポイント４ｃは予約を受け付ける。ここでは、A駅→B駅の区間の第1アクセスポイント４ａ（HiSWAN）、B駅→E駅の区間の第３アクセスポイント４ｃ（W-CDMA）、E駅→D駅の区間の第２アクセスポイント４ｂ（HiSWAN）の各アクセスポイント４を、それぞれ時間を指定して予約する。そして、F駅→E駅の区間のアクセスポイント（HiSWAN）、C駅→D駅の区間のアクセスポイント（HiSWAN）の仮予約が取り消される。なお、ステップＳ５７、Ｓ５８、Ｓ５９において第１アクセスポイント４ａ、第２アクセスポイント４ｂ、第３アクセスポイント４ｃ以外に仮予約を受け付けたアクセスポイントが存在する場合には、予約を受け付けた際に、予約の申請がされなかったアクセスポイントの仮予約が取り消されることが望ましい。そして、仮予約の取り消しは、予約の受付と同時に行われても良いし、仮予約の申請から一定の時間が経過したのちに自動的に取り消しが行われるものとしてもよい。
【００４９】
そして、予約が完了すると、第１アクセスポイント４ａ、第２アクセスポイント４ｂ、第３アクセスポイント４ｃから無線資源予約サーバ６に対し、予約を受け付けた旨の情報が送信される（ステップＳ６６、ステップＳ６７、ステップＳ６８）。無線資源予約サーバ６は受信した予約の受け付け情報をＷｅｂサーバ３ａに送信し（ステップＳ６９）、Ｗｅｂサーバ３ａは受信した予約の受け付け情報を無線通信端末７に送信する（ステップＳ７０）。無線通信端末６は受信した予約の受け付け情報を、図１０に示すようにユーザに視認可能な状態でディスプレイ８に表示する（ステップＳ７１）。
【００５０】
そして、ユーザの乗車した電車が第1アクセスポイント４ａの交信可能領域に到達すると、無線通信端末７は第1アクセスポイント４ａにアクセスして接続する（ステップＳ７２）。そして、第３アクセスポイント４ｃの交信可能領域に到達すると、無線通信端末７は第３アクセスポイント４ｃにアクセスして接続するとともに（ステップＳ７３）第１アクセスポイント４ａに対し通信資源を開放する旨のメッセージを送信し（ステップＳ７４）、アクセスポイント４ａはメッセージに基づいて通信資源を開放しその旨をＷｅｂサーバ３ａに送信する（ステップＳ７５）。なお、ここでのハンドオーバーに関するアルゴリズムは特には問わないものとする。そして、無線通信端末７はW-CDMAネットワークインタフェースを用いて第３アクセスポイント４ｃをアクセスに利用する。
【００５１】
そして、電車の移動ともにユーザがE駅に到着し、第２アクセスポイント４ｂの交信可能領域に到達すると、無線通信端末７は第２アクセスポイント４ｂにアクセスして接続するとともに（ステップＳ７６）第３アクセスポイント４ｃに対し通信資源を開放する旨のメッセージを送信し（ステップＳ７７）、アクセスポイント４ｃはメッセージに基づいて通信資源を開放しその旨をＷｅｂサーバ３ａに送信する（ステップＳ７８）。
【００５２】
この結果、ユーザは路線情報または地図情報にて検索した電車によって移動すると、無線帯域が保障されているので、ストリーミング動画の配信を受ける事が出来るようになる。この例では、A駅→B駅の区間、E駅→D駅の区間では384kbpsによる比較的精細な動画を見ることが可能であり、B駅→E駅の区間では64kbpsによる比較的粗い動画を視聴することが可能となる。
【００５３】
また、アクセスポイントを仮予約することにより、無線通信端末７がＷｅｂサーバ３ａやアクセスポイント所在地情報データベース３ｂの検索結果を受領してから予約を実行するまでの間に他の利用者の無線通信端末によってアクセスポイントを予約されてしまうような事態を防止できる。
【００５４】
さらに、仮予約したアクセスポイントのうち利用しないものの仮予約を取り消すことにより、仮予約のみが存続し第三者のアクセスポイントの利用が不当に制限される事態を防止できる。
【００５５】
なお、上記各実施の形態においては、Ｗｅｂサーバ３ａにアクセスポイント所在地情報データベース３ｂが接続されている構成としたが、アクセスポイント所在地情報データベースを独立なＷｅｂサーバとして形成し、このアクセスポイント所在地情報データベースとしてのＷｅｂサーバに対し、無線通信端末７が路線または地図検索の結果を送信するような構成としてもよい。
【図面の簡単な説明】
【００５６】
【図１】本発明の第1、第２、第３、第４の形態におけるアクセスポイント予約システムのネットワーク図である。
【図２】本発明の第1の形態におけるアクセスポイント予約システムのシーケンス図である。
【図３】本発明の第２、第３の形態におけるアクセスポイント予約システムのシーケンス図である。
【図４】本発明の第1の形態における無線通信端末と、ディスプレイに表示された検索結果情報の模式図である。
【図５】同上無線通信端末と、ディスプレイに表示された予約結果表示の模式図である。
【図６】本発明の第４の形態に用いられる無線通信端末およびネットワークインタフェースの模式図である。
【図７】同上アクセスポイント予約システムにおいて用いられる路線情報の模式図である。
【図８】同上無線通信端末とディスプレイに表示される経路探索結果情報の模式図である。
【図９】同上アクセスポイント予約システムが用いられる路線周辺の無線資源状況の模式図である。
【図１０】同上無線通信端末とディスプレイに表示される予約完了確認画面表示の模式図である。
【図１１】同上アクセスポイント予約システムのシーケンス図である。
【符号の説明】
【００５７】
１Ａ、１Ｂ、１Ｃ、１Ｄ  アクセスポイント予約システム
２    インターネット
３ａ  第1Ｗｅｂサーバ
３ｂ  アクセスポイント所在地情報データベース
４ａ、４ｂ、４ｃ  アクセスポイント
６  無線資源予約サーバ
７、７ａ、７ｂ、７ｃ  無線通信端末
８  ディスプレイ
【図１】
2006080740.tif 000003
【図２】
2006080740.tif 000004
【図３】
2006080740.tif 000005
【図４】
2006080740.tif 000006
【図５】
2006080740.tif 000007
【図６】
2006080740.tif 000008
【図７】
2006080740.tif 000009
【図８】
2006080740.tif 000010
【図９】
2006080740.tif 000011
【図１０】
2006080740.tif 000012
【図１１】
2006080740.tif 000013